(57)【特許請求の範囲】
【請求項１】
遊技結果に応じて遊技者に対して特典を付与すると共に、前記特典の獲得期待度が遊技場にて変更される複数の遊技機に対応して設けられた遊技場管理システムであり、
前記遊技機の前記特典の獲得期待度に対応した情報である設定情報を、前記複数の遊技機毎にそれぞれ特定する設定特定手段と、
前記設定特定手段により特定されている前記設定情報を示唆する示唆演出を実行するように示唆手段を制御すると共に、遊技者による遊技の状況に応じて前記示唆演出の対象とする遊技機を決定する示唆制御手段と、を備え、
前記示唆制御手段は、前記設定情報のうち前記示唆演出の対象となる示唆設定情報が設定されている前記遊技機について前記示唆演出を実行するように前記示唆手段を制御するものであり、更に、前記複数の遊技機のうち、前記示唆設定情報が設定されている前記遊技機の割合に応じて、前記示唆演出の対象となる前記遊技機の数を決定することを特徴とする遊技場管理システム。
【請求項２】
遊技結果に応じて遊技者に対して特典を付与すると共に、前記特典の獲得期待度が遊技場にて変更される複数の遊技機に対応して設けられた遊技場管理システムであり、
前記遊技機の前記特典の獲得期待度に対応した情報である設定情報を、前記複数の遊技機毎にそれぞれ特定する設定特定手段と、
前記設定特定手段により特定されている前記設定情報を示唆する示唆演出を実行するように示唆手段を制御すると共に、遊技者による遊技の状況に応じて前記示唆演出の対象とする遊技機を決定する示唆制御手段と、を備え、
前記遊技機は、遊技者により遊技媒体が投入されることによって遊技が進行するものであり、
前記示唆制御手段は、遊技者により投入された遊技媒体の数が所定の数に到達していない場合に、前記示唆演出を実行することを特徴とする遊技場管理システム。
【請求項３】
前記示唆制御手段は、前記複数段階の設定情報のうち相対的にみて遊技者にとって有利な設定情報が設定されている遊技機のうち、遊技者により投入された遊技媒体の数が所定の数に到達していないものを、前記示唆演出の対象とすることを特徴とする請求項２に記載した遊技場管理システム。
【請求項４】
前記示唆制御手段は、前記複数の遊技機に投入された遊技媒体の数に応じて、遊技者により遊技が行われている遊技機と、遊技者により遊技が行われていない遊技機とのうち、何れのものを前記示唆演出の対象とするかを決定することを特徴とする請求項２又は３に記載した遊技場管理システム。
【発明の詳細な説明】
【技術分野】
【０００１】
本発明は、遊技機の設定情報を遊技者に対して公開するようにした遊技場管理システムに関する。
【背景技術】
【０００２】
従来、遊技機の設定情報を遊技者に対して公開するようにした遊技場管理システムが知られている。このような遊技場管理システムでは、遊技機の設定情報が遊技者に対して公開されることにより、遊技者にとって有利な設定がなされている遊技機を遊技者が把握することが可能となる。このため、遊技機の設定情報を示唆することは、遊技者に対するサービスとして非常に優れていると考えられる。又、例えば特許文献１には、遊技機の設定情報を遊技者に対して示唆した頻度を特定し、遊技機の設定情報を適切な頻度で遊技者に対して示唆するように、遊技機の設定情報を示唆するタイミングを遊技者に対して報知することが記載されている。これにより、遊技機の設定情報を特定の遊技者に対して偏って示唆することを抑制することが可能となる。
【先行技術文献】
【特許文献】
【０００３】
【特許文献１】特開２００８−２１２５３４号公報
【発明の概要】
【発明が解決しようとする課題】
【０００４】
しかしながら、遊技場全体でみて、遊技機の設定情報を示唆し過ぎると、遊技者にとって有利な設定がなされている遊技機の稼動が上昇する一方で、遊技者にとって不利な設定がなされている遊技機の稼動が低下し、遊技場の利益を確保し難くなる問題が発生すると考えられる。又、遊技機の設定情報を示唆しなさ過ぎると、遊技機の設定情報を示唆する効果を十分に得られなくなる問題が発生すると考えられる。したがって、遊技場においては、設定情報を示唆すべき対象とする遊技機を決定する方法について、未だ改善の余地がある。
【０００５】
本発明は、上記した事情に鑑みてなされたものであり、その目的は、遊技場全体でみて設定情報を示唆すべき遊技機を良好に決定することを可能とする遊技場管理システムを提供することにある。
【課題を解決するための手段】
【０００６】
請求項１に記載した発明は、遊技結果に応じて遊技者に対して特典を付与すると共に、前記特典の獲得期待度が遊技場にて変更される複数の遊技機に対応して設けられた遊技場管理システムであり、前記遊技機の前記特典の獲得期待度に対応した情報である設定情報を、前記複数の遊技機毎にそれぞれ特定する設定特定手段と、前記設定特定手段により特定されている前記設定情報を示唆する示唆演出を実行するように示唆手段を制御すると共に、遊技者による遊技の状況に応じて前記示唆演出の対象とする遊技機を決定する示唆制御手段と、を備え、前記示唆制御手段は、前記設定情報のうち前記示唆演出の対象となる示唆設定情報が設定されている前記遊技機について前記示唆演出を実行するように前記示唆手段を制御するものであり、更に、前記複数の遊技機のうち、前記示唆設定情報が設定されている前記遊技機の割合に応じて、前記示唆演出の対象となる前記遊技機の数を決定することを特徴とする。
【００１０】
請求項２に記載した発明は、遊技結果に応じて遊技者に対して特典を付与すると共に、前記特典の獲得期待度が遊技場にて変更される複数の遊技機に対応して設けられた遊技場管理システムであり、前記遊技機の前記特典の獲得期待度に対応した情報である設定情報を、前記複数の遊技機毎にそれぞれ特定する設定特定手段と、前記設定特定手段により特定されている前記設定情報を示唆する示唆演出を実行するように示唆手段を制御すると共に、遊技者による遊技の状況に応じて前記示唆演出の対象とする遊技機を決定する示唆制御手段と、を備え、前記遊技機は、遊技者により遊技媒体が投入されることによって遊技が進行するものであり、前記示唆制御手段は、遊技者により投入された遊技媒体の数が所定の数に到達していない場合に、前記示唆演出を実行することを特徴とする。
【００１１】
請求項３に記載した発明は、前記示唆制御手段は、前記複数段階の設定情報のうち相対的にみて遊技者にとって有利な設定情報が設定されている遊技機のうち、遊技者により投入された遊技媒体の数が所定の数に到達していないものを、前記示唆演出の対象とすることを特徴とする。
【００１２】
請求項４に記載した発明は、前記示唆制御手段は、前記複数の遊技機に投入された遊技媒体の数に応じて、遊技者により遊技が行われている遊技機と、遊技者により遊技が行われていない遊技機とのうち、何れのものを前記示唆演出の対象とするかを決定することを特徴とする。
【発明の効果】
【００１３】
請求項１に記載した発明によれば、遊技者による遊技の状況に応じて、特典の獲得期待度に対応した情報である設定情報を示唆する示唆演出の対象とする遊技機を決定するので、遊技者による遊技の状況に応じて示唆演出の対象とする遊技機が異なり、遊技場全体でみて設定情報を示唆すべき遊技機を良好に決定することができる。その結果、設定情報を示唆し過ぎたり示唆しなさ過ぎたりすることを抑制することができ、設定情報の示唆回数と設定配分とのバランスをとることができる。
【００１４】
又、示唆設定情報が設定されている遊技機の割合に応じて、示唆演出の対象となる遊技機の数を決定するので、遊技者にとって有利な設定情報が設定されている遊技機が少ない場合に、その遊技者にとって有利な設定情報が設定されている全ての遊技機の設定情報を示唆してしまったり、遊技者にとって不利な設定情報が設定されている遊技機が多い場合に、その遊技者にとって不利な設定情報が設定されている遊技機の設定情報を示唆し過ぎたりすることを抑制することができる。
【００１７】
請求項２に記載した発明によれば、遊技者により投入された遊技媒体の数が所定の数に到達していない場合に、示唆演出を実行するので、稼動率が低い場合に設定情報を示唆することで、稼動率の底上げを図ることができる。
【００１８】
請求項３に記載した発明によれば、複数段階の設定情報のうち相対的にみて遊技者にとって有利な設定情報が設定されている遊技機のうち、遊技者により投入された遊技媒体の数が所定の数に到達していないものを、示唆演出の対象とするので、遊技者にとって有利な設定情報が設定されている遊技機のうち稼動率が低いものを対象として設定情報を示唆することで、稼動率の底上げをより一層図ることができる。
【００１９】
請求項４に記載した発明によれば、複数の遊技機に投入された遊技媒体の数に応じて、遊技者により遊技が行われている遊技機と、遊技者により遊技が行われていない遊技機とのうち、何れのものを示唆演出の対象とするかを決定するので、稼動率に応じて、稼動している遊技機と、稼動していない遊技機の何れについて示唆するかを選択することができる。即ち、稼動率を更に高めたい場合には、稼動していない遊技機について設定情報を示唆し、稼動率を高める必要がない場合には、稼動している遊技機について設定情報を示唆することで、設定情報を示唆する効果を得つつ、稼動率を維持するか更に稼動率を高めるかを調整することができる。高設定の遊技機の稼動率が高まると、遊技場としての利益は減る傾向にあるので、高設定の遊技機の稼動率が高まるか否かは遊技場にとって重要な問題であり、このように稼動率に応じて何れの遊技機について示唆するかを選択することで得られる効果は大きい。
【図面の簡単な説明】
【００２０】
【図１】本発明の一実施形態を示す全体構成図
【図２】スロットマシンの正面図
【図３】スロットマシンの機能ブロック図
【図４】遊技機端末装置の正面図
【図５】遊技機端末装置の機能ブロック図
【図６】フローチャート
【図７】図６相当図
【図８】図６相当図
【図９】図６相当図
【図１０】図６相当図
【図１１】図６相当図
【図１２】図６相当図
【図１３】中継装置の液晶表示部に表示される演出を示す図
【図１４】図１３相当図
【発明を実施するための形態】
【００２１】
以下、本発明の一実施形態について、図面を参照して説明する。図１は、遊技場管理システム１を概略的に示す全体構成図である。遊技場管理システム１は、遊技場内に設置されている複数のスロットマシン２（遊技機）、各スロットマシン２に対応して設けられている貸出装置３、遊技機端末装置４、中継装置５（示唆手段）等を有している。中継装置５は、スロットマシン２、貸出装置３、遊技機端末装置４と通信可能に接続されていると共に、ＬＡＮ６を介して管理装置７（設定特定手段、示唆制御手段）と通信可能に接続されている。管理装置７は、例えば遊技場内の事務所等に設置されており、ＬＡＮ６を介してスロットマシン２、貸出装置３、遊技機端末装置４との間で各種情報や各種信号を送受信する。尚、図１では省略しているが、管理装置７は数１００台のスロットマシン２を管理対象としている。
【００２２】
図２は、スロットマシン２の正面外観を概略的に示している。スロットマシン２の正面には表示窓８が設けられており、遊技者は表示窓８を通じて内部に設けられたリール９（複数の図柄を変動表示する図柄変動表示手段）の図柄を視認可能となっている。図柄は、左リール９ａ、中リール９ｂ、右リール９ｃの円周面に描かれている。これらの図柄は、各リール９ａ〜９ｃが停止した状態では、表示窓８の上段、中段、下段に対応して表示される。即ち、スロットマシン２には、各リール９ａ〜９ｃのそれぞれについて３図柄ずつ合計９図柄分の図柄表示領域が形成されている。
【００２３】
表示窓８の左方には有効化された入賞ライン（有効ライン）を示す有効ライン表示部１０が設けられている。スロットマシン２には、例えば合計５本（表示窓８の上段、中段、下段に対応した横方向に１本ずつの３本及び斜め方向の２本）の有効ラインが設定されている。これらの有効ラインのうち何れかの有効ライン上に内部当選役に対応する図柄が揃った場合、即ち、有効ライン上に停止表示された図柄の組合せが内部当選役に対応する図柄の組合せと一致した場合に入賞が発生する。
【００２４】
表示窓８の上方には、各種情報を表示する液晶表示部１１、スピーカ１２が設けられている。表示窓８の下方には、クレジットメダルの投入を行うクレジットボタン１３、クレジットメダルの精算を行う精算ボタン１４、メダルを投入するメダル投入口１５が設けられており、これらの下方にはスタートレバー１６（図柄の変動表示を開始させるために遊技者により操作される開始操作手段）、左ストップボタン１７ａ、中ストップボタン１７ｂ、右ストップボタン１７ｃ（図柄の変動表示を停止させるために遊技者により操作される停止操作手段）が設けられている。表示窓８の右方には、メダルの払出枚数を表示する払出数表示部１８、メダルのクレジット枚数を表示するクレジット数表示部１９が設けられている。又、スロットマシン２の正面最下部には受皿２０が設けられており、正面最上部には装飾ランプ部２１が設けられている。
【００２５】
図３は、スロットマシン２の電気的な構成を機能ブロックとして示している。制御部２２（抽選手段、表示制御手段、入賞判定手段、特別状態発生手段）は、ＣＰＵ、ＲＯＭ、ＲＡＭ、Ｉ／Ｏ等を備えたマイクロコンピュータにより構成されている。制御部２２は、クレジットボタン１３、精算ボタン１４、スタートレバー１６、左ストップボタン１７ａ、中ストップボタン１７ｂ、右ストップボタン１７ｃ、投入メダル検知部２３、設定値操作部２４等から各種信号を入力する。
【００２６】
制御部２２は、メダル投入口１５に投入されたメダルの真贋及び数量を判定する投入メダル検知部２３から投入メダル検知信号を入力すると、その入力した投入メダル検知信号の数に基づいて投入されたメダルの数を計数する。メダルの数が１ゲームに必要な規定数（通常状態では３枚）を超過した場合には、超過した分のメダルの数をクレジット数として例えばＲＡＭ等に所定の上限値（例えば５０枚）まで記憶すると共に、そのクレジット数をクレジット数表示部１９に表示する。
【００２７】
制御部２２は、設定値操作部２４から当選確率等の各種設定信号を入力する。スロットマシン２には例えば「１」〜「６」の６段階で役の内部当選確率を設定するための設定値（設定情報）が設けられており、設定値操作部２４は、このうち何れか１つの設定値を有効化する。設定値操作部２４では、設定変更キー２５を挿入して設定変更が可能な状態とした上で、例えば図示しないＤＩＰスイッチの切替え等により設定値が変更される。尚、設定値は、数値が大きいほど各役の内部当選確率が高くなる設定、即ち、遊技者にとって有利な設定であり、数値が小さいほど各役の内部当選確率が低くなる設定、即ち、遊技者にとって不利な設定である。このように、メダルの払出しやボーナスの発生等の特典が遊技者に付与される頻度や期待度が設定値に応じて異なり、設定値を変更することでスロットマシン２の有利度を遊技場にて変更可能となっている。又、設定値間（「１」〜「６」）でボーナス役や小役の内部当選確率が異なっていることから、遊技者は各役の入賞状況を観察することにより、設定値を推測することが可能となる。
【００２８】
制御部２２は、液晶表示部１１、払出数表示部１８、クレジット数表示部１９、装飾ランプ部２１、各リール９ａ〜９ｃに対応するリール用モータを駆動するリール駆動部２６、各リール９ａ〜９ｃに設けられた基準位置片の通過を検知するセンサからの検知信号に基づいて各リール９ａ〜９ｃの基準位置を検知する基準位置検出部２７、スピーカ１２を駆動する音声出力部２８、メダルを払出すメダル払出部２９、各種信号を出力する信号出力部３０を接続している。
【００２９】
制御部２２は、ソフトウェアにより構成される乱数発生部及び乱数抽出部を有しており、メダルが投入された状態でスタートレバー１６が操作されると（ゲーム開始操作が行われると）、各リール９ａ〜９ｃを始動（回転）させ、乱数発生部が発生する乱数の中から１つの乱数を乱数抽出部で抽出して内部抽選を実行し、内部当選役がある場合には当該内部当選役に対応するフラグを成立させる。この状態で各ストップボタン１７ａ〜１７ｃが操作されると、対応するリール９ａ〜９ｃの回転を停止させ、内部当選役のフラグに応じて各リール９ａ〜９ｃの停止位置を決定するための停止テーブルに基づいて、所謂引込制御（すべり制御）を含む停止制御（各リール９ａ〜９ｃを内部当選役フラグの種類に応じた入賞図柄又はハズレ図柄で停止表示させる制御）を実行する。尚、停止テーブルは、内部当選役のフラグの種類毎に設定されている。
【００３０】
引込制御は、各ストップボタン１７ａ〜１７ｃの操作を検出した時点から予め規定された引込範囲（最大で４図柄まで）にある図柄を有効ライン上に引込んで停止させることが可能な制御である。この場合、内部当選役フラグに対応する図柄が引込範囲内に存在しないときは、その図柄を有効ライン上に引き込んで停止させることができないので、入賞が発生せずに所謂取りこぼしとなる。
【００３１】
貸出装置３は、遊技者が貨幣を投入する貨幣投入口３１、メダルを払出すメダル払出口３２、動作ランプ３３等を有している。遊技者が貨幣を貨幣投入口３１に投入すると、メダル払出口３２から貨幣に応じた数のメダルが払出され、スロットマシン２の受皿２０に供給される。この場合、払出したメダル数に応じた信号が中継装置５及びＬＡＮ６を介して管理装置７に送信される。又、貸出装置３に不具合が生じた場合等には動作ランプ３３ｃが点灯し、不具合が生じた旨を従業員に対して報知する。
【００３２】
スロットマシン２側からは次に示す遊技信号が出力される。
「アウト信号」：スロットマシン２から出力される信号であり、開始操作に応じてベット状態のメダルを使用したとしてベット状態のメダル数（３枚）分がパルス出力されるので、アウト信号数×１がアウト（使用媒体数）となる。
「セーフ信号」：スロットマシン２から出力される信号であり、メダルが１枚払出される毎に１パルス出力されるので、セーフ信号数×１がセーフ（払出媒体数）となる。
「ＢＢ（ビッグボーナス）信号」：スロットマシン２から出力される信号であり、ＢＢ時にレベル出力されるので、ＢＢ信号受信期間中がＢＢ状態として特定される。
「ＲＢ（レギュラーボーナス）信号」：スロットマシン２から出力される信号であり、ＲＢ時にレベル出力されるので、ＲＢ信号受信期間中がＲＢ状態として特定される。
「売上信号」：貸出装置３から出力される信号であり、貸出メダル５枚（１００円分に相当）毎に１パルス出力されるので、売上信号数×１００が売上金額となる。
【００３３】
図４は、遊技機端末装置４の正面外観を概略的に示している。遊技機端末装置４は、稼動状態やエラー状態等を表示する状態表示ランプ３４、遊技場が発行した会員カード３５（記憶媒体）が挿入されるカード挿入口３６、会員カード３５を排出する排出ボタン３７、遊技情報を表示する液晶表示部３８等を有している。液晶表示部３８にはタッチパネル３９が設けられており、遊技者がタッチパネル３９を操作することにより、液晶表示部３８に表示される情報の種類や表示態様等が切換えられる。会員カード３５には、遊技者のＩＤ、遊技者の氏名、遊技者が獲得したメダルの枚数等が記憶される。
【００３４】
図５は、遊技機端末装置４の電気的な構成を機能ブロックとして示している。制御部４０は、ＣＰＵ、ＲＯＭ、ＲＡＭ、Ｉ／Ｏ等を備えたマイクロコンピュータにより構成されており、制御プログラムにしたがって各種情報を液晶表示部３８により表示したり、操作入力をタッチパネル３９により受付けたり、状態表示ランプ３４を点灯したり、各種信号を送受信部４２により送受信したりする。又、遊技者が会員カード３５をカード挿入口３６に挿入すると、そのカード挿入口３６に挿入された会員カード３５に記憶されている各種情報をカードリーダ４１により読取り、タッチパネル３９の操作を可能としたり各種情報を液晶表示部３８により表示したりする。
【００３５】
中継装置５は、ＣＰＵ、ＲＯＭ、ＲＡＭ及びＣＦ（コンパクトフラッシュ（登録商標））の等の記憶装置からなるコンピュータで構成されており、遊技者が操作する呼出ボタン４３、呼出ランプ４４、液晶表示部４５等を有する。遊技者が呼出ボタン４３を操作すると、呼出ランプ７が点灯する。又、液晶表示部４５には各種遊技情報が表示される。
【００３６】
管理装置７は、ＣＰＵ、ＲＯＭ、ＲＡＭ及びＨＤＤ等の記憶装置からなるコンピュータで構成されており、例えばＲＯＭ等に記憶されている制御プログラムに各種処理を行う。
次に、上記した構成の作用について、図６乃至図１４を参照して説明する。図６乃至図１２は、管理装置７が本発明に関連して行う処理をフローチャートにて示している。管理装置７は、上記したスロットマシン２に設定されている「１」〜「６」の６段階の設定値を遊技者に対して示唆する処理として、下記の（１）〜（４）に示す処理を行う。尚、管理装置７は、以下に説明する（１）〜（４）に示す処理のうち何れを実行するかを選択する。即ち、管理装置７は、（１）〜（４）に示す処理のうち一の処理を実行しても良いし、複数の処理を実行しても良い。
【００３７】
（１）時刻に基づいて設定値を示唆する処理
（２）稼動率に基づいて設定値を示唆する処理
（３）アウト数に基づいて設定値を示唆する処理
（４）会員カード３５が挿入されていることを条件として設定値を示唆する処理
以下、これらの各々について順次説明する。
【００３８】
（１）時刻に基づいて設定値を示唆する処理
時刻に基づいて設定値を示唆する処理について、図６に示すフローチャートを参照して説明する。管理装置７は、設定示唆処理を開始すると、現在時刻が所定時刻（例えば「２０時」）であるか否かを判定する（Ｓ１）。管理装置７は、現在時刻が所定時刻であると判定すると（Ｓ１：ＹＥＳ）、高設定割合把握処理を行う（Ｓ２）。高設定割合把握処理では、遊技場内に設置されている全てのスロットマシン２の台数に対する高設定（設定値「４」〜「６」）が設定されているスロットマシン２の台数の割合を把握する。尚、スロットマシン２の設定値は、遊技場の管理者により予め入力されることで、管理装置７がスロットマシン２の設定値を特定可能となっている。
【００３９】
次いで、管理装置７は、示唆実行台数算出処理を行う（Ｓ３）。示唆実行台数算出処理では、高設定が設定されている全てのスロットマシン２の台数のうち設定値を示唆する示唆対象のスロットマシン２の台数を、遊技場の管理者が設定した所定の割合にしたがって示唆実行台数として算出する。例えば高設定が設定されている全てのスロットマシン２の台数が「１００台」であり、遊技場の管理者が設定した所定の割合が「２０％」であれば、示唆実行台数として「２０台」を算出する。
【００４０】
次いで、管理装置７は、示唆対象選択処理を行い（Ｓ４）、示唆対象として選択したスロットマシン２の台数が示唆実行台数に到達したか否かを判定し（Ｓ５）、示唆対象として選択したスロットマシン２の台数が示唆実行台数に到達していないと判定すると（Ｓ５：ＮＯ）、示唆対象として選択したスロットマシン２の台数が示唆実行台数に到達するまで示唆対象選択処理を繰返して行う。示唆対象選択処理では、高設定が設定されている全てのスロットマシン２のそれぞれについて、設定値を示唆する演出を行うか否かの示唆抽選を例えば台番が小さい方から順番に行う。
【００４１】
例えば高設定が設定されている全てのスロットマシン２の台数が「１００台」であり、示唆実行台数として「２０台」を算出すると、１周目の示唆抽選では、１台目（最小の台番）から順番に「２０％」の当選確率で当選する示唆抽選を行い、当選した台数が上限値である示唆実行台数の「２０台」に到達したら途中であっても示唆抽選を終了し、１００台目（最大の台番）まで示唆抽選を行っても当選した台数が上限値である示唆実行台数の「２０台」に到達していなければ、２周目の示唆抽選を行う。これ以降、示唆対象として選択したスロットマシン２の台数が示唆実行台数に到達するまで繰返す。
【００４２】
そして、管理装置７は、示唆対象として選択したスロットマシン２の台数が示唆実行台数に到達したと判定すると（Ｓ５：ＹＥＳ）、示唆演出実行処理を行う（Ｓ６）。示唆演出実行処理では、図１３に示すように、示唆対象として選択したスロットマシン２に対応して設けられている中継装置５の液晶表示部４５に、当該スロットマシン２が高設定であることを遊技者に対して示唆するメッセージ（例えば「高設定？」）を表示する。この場合、管理装置７は、「高設定？」というメッセージを例えば６０秒間継続して表示する。
【００４３】
（２）稼動率に基づいて設定値を示唆する処理
稼動率に基づいて設定値を示唆する処理について、図７に示すフローチャートを参照して説明する。管理装置７は、設定示唆処理を開始すると、現在時刻が所定時刻（例えば「２０時」）であるか否かを判定する（Ｓ１１）。管理装置７は、現在時刻が所定時刻であると判定すると（Ｓ１１：ＹＥＳ）、稼動率記憶処理を行う（Ｓ１２）。稼動率記憶処理では、遊技場内に設置されている全てのスロットマシン２を対象とし、スロットマシン２から出力されるアウト信号の間隔に基づいて稼動率を判定する。アウト信号が出力されていない時間が６０秒以上継続するスロットマシン２を非稼動中であると判定し、アウト信号が出力されていない時間が６０秒以上継続しないスロットマシン２を稼動中であると判定し、遊技場内に設置されている全てのスロットマシン２の台数に対する稼動中のスロットマシンの台数を稼動率として特定して記憶する。
【００４４】
次いで、管理装置７は、特定した稼動率に基づいて、設定値を示唆する示唆対象のスロットマシン２を非稼動中のスロットマシン２又は稼動中のスロットマシン２の何れとするかを判定する（Ｓ１３）。例えば稼動率が「５０％」未満であり、示唆対象のスロットマシン２を非稼動中のスロットマシン２とすると判定すると（Ｓ１３：ＮＯ）、非稼動中に対応した示唆実行台数算出処理を行い（Ｓ１４）、非稼動中の全てのスロットマシン２を対象として示唆実行台数を算出し、非稼動中の遊技機特定処理を行う（Ｓ１５）。即ち、稼動率が低い場合であれば、Ｓ１４の処理において、非稼動中の全てのスロットマシン２の台数のうちから設定値を示唆する示唆対象のスロットマシン２の台数を、遊技場の管理者が設定した所定の割合にしたがって示唆実行台数として算出する。そして、Ｓ１５の処理において、遊技場内に設置されているスロットマシン２のうち何れが非稼動中であるかを特定する。
【００４５】
一方、例えば稼動率が「８０％」以上であり、示唆対象のスロットマシン２を稼動中のスロットマシン２とすると判定すると（Ｓ１３：ＹＥＳ）、稼動中に対応した示唆実行台数算出処理を行い（Ｓ１６）、稼動中の全てのスロットマシン２を対象として示唆実行台数を算出し、稼動中の遊技機特定処理を行う（Ｓ１７）。即ち、稼動率が高い場合であれば、Ｓ１６の処理において、稼動中の全てのスロットマシン２の台数のうちから設定値を示唆する示唆対象のスロットマシン２の台数を、遊技場の管理者が設定した所定の割合にしたがって示唆実行台数として算出する。そして、Ｓ１７の処理において、遊技場内に設置されているスロットマシン２のうち何れが稼動中であるかを特定する。
【００４６】
例えば特定した稼動率が「５０％」であれば、高設定が設定されている全てのスロットマシン２の台数の「２５％」に相当する台数を示唆実行台数として算出し、特定した稼動率が「８０％」であれば、高設定が設定されている全てのスロットマシン２の台数の「４０％」に相当する台数を示唆実行台数として算出し、特定した稼動率が「１００％」であれば、高設定が設定されている全てのスロットマシン２の台数の「５０％」に相当する台数を示唆実行台数として算出する。即ち、稼動率が「１００％」であっても、高設定が設定されている全てのスロットマシン２を対象として設定値を示唆することはなく、設定値が示唆されていないスロットマシン２に対しても、高設定が設定されていることを遊技者に期待させる。
【００４７】
次いで、管理装置７は、上記した（１）と同様にして、示唆対象選択処理を行い（Ｓ１８）、示唆対象として選択したスロットマシン２の台数が示唆実行台数に到達したか否かを判定し（Ｓ１９）、示唆対象として選択したスロットマシン２の台数が示唆実行台数に到達していないと判定すると（Ｓ１９：ＮＯ）、示唆対象として選択したスロットマシン２の台数が示唆実行台数に到達するまで示唆対象選択処理を繰返して行い、示唆対象として選択したスロットマシン２の台数が示唆実行台数に到達したと判定すると（Ｓ１９：ＹＥＳ）、示唆演出実行処理を行う（Ｓ２０）。示唆演出実行処理では、この場合も、図１３に示すように、示唆対象として選択したスロットマシン２に対応して設けられている中継装置５の液晶表示部４５に、当該スロットマシン２が高設定であることを遊技者に対して示唆するメッセージ（例えば「高設定？」）を表示する。
【００４８】
このように稼動率に応じて設定値を示唆する対象を非稼動中のスロットマシン２とするか稼動中のスロットマシン２とするかを選択することで、稼動率が低い場合に非稼動中のスロットマシン２について設定値を示唆することで、稼動率を高めることができ、稼動率が高い場合に稼動中のスロットマシン２について設定値を示唆することで、稼動率を維持することができる。
【００４９】
（３）アウト数に基づいて設定値を示唆する処理
アウト数に基づいて設定値を示唆する処理について、図８に示すフローチャートを参照して説明する。管理装置７は、設定示唆処理を開始すると、現在時刻が所定時刻（例えば「２０時」）であるか否かを判定する（Ｓ２１）。管理装置７は、現在時刻が所定時刻であると判定すると（Ｓ２１：ＹＥＳ）、アウト数特定処理を行う（Ｓ２２）。アウト数特定処理では、遊技場内に設置されている全てのスロットマシン２から出力されるアウト信号に基づいて総アウト数を特定する。
【００５０】
次いで、管理装置７は、総アウト数を第１アウト数及び第２アウト数と比較する（Ｓ２３、Ｓ２４）。第１アウト数と第２アウト数との関係は前者の値は後者の値より大であり、第１アウト数は例えば「５００００００」であり、第２アウト数は例えば「３００００００」である。管理装置７は、総アウト数が第１アウト数を超えていると判定すると（Ｓ２３：ＹＥＳ）、高設定が設定されている全てのスロットマシン２のうちアウト数が第１所定数以下であるスロットマシン２を特定し（Ｓ２５）、上記した（１）と同様にして、示唆対象選択処理を行い（Ｓ２６）、そのアウト数が第１所定数以下であると特定したスロットマシン２を示唆対象として選択し、示唆演出実行処理を行う（Ｓ２７）。
【００５１】
又、管理装置７は、総アウト数が第２アウト数を超えていると判定すると（Ｓ２４：ＹＥＳ）、高設定が設定されている全てのスロットマシン２のうちアウト数が第２所定数以上であるスロットマシン２を特定し（Ｓ２８）、上記した（１）と同様にして、示唆対象選択処理を行い（Ｓ２６）、そのアウト数が第２所定数以上であると特定したスロットマシン２を示唆対象として選択し、示唆演出実行処理を行う（Ｓ２７）。
【００５２】
第１所定数と第２所定数との関係は前者の値は後者の値より大であり、第１所定数は例えばスタート４０００回に相当するアウト数であり、第２所定数は例えばスタート２０００回に相当するアウト数である。即ち、総アウト数が少ない場合であれば、稼動率が低いスロットマシン２について設定値を示唆することで、稼動率を高めることができ、総アウト数が多い場合であれば、稼動率が高いスロットマシン２について設定値を示唆することで、稼動率を維持することができる。示唆演出実行処理では、この場合も、図１３に示すように、示唆対象として選択したスロットマシン２に対応して設けられている中継装置５の液晶表示部４５に、当該スロットマシン２が高設定であることを遊技者に対して示唆するメッセージ（例えば「高設定？」）を表示する。
【００５３】
（４）会員カード３５が挿入されていることを条件として設定値を示唆する処理
会員カード３５が挿入されていることを条件として設定値を示唆する処理について、図９乃至図１２に示すフローチャートを参照して説明する。管理装置７は、実行可能回数設定処理、示唆操作確認処理、不許可状態解除処理を行う。
【００５４】
（４−１）実行可能回数設定処理
管理装置７は、実行可能回数設定処理を開始すると、総アウト数特定処理を行い（Ｓ３１）、総アウト数に応じた示唆用演出の実行可能回数を設定する（Ｓ３２）。この場合、示唆用演出の実行可能回数は、遊技場の管理者により設定される回数でも良いし、初期値として設定される回数でも良い。
【００５５】
（４−２）示唆操作確認処理
管理装置７は、示唆操作確認処理を開始すると、会員カード３５が遊技機端末装置４のカード挿入口３６に挿入中であるか否かを判定する（Ｓ４１）。管理装置７は、会員カード３５が挿入中であると判定すると（Ｓ４１：ＹＥＳ）、遊技者による示唆操作が行われたか否かを判定する（Ｓ４２）。ここで、遊技者が例えば釦操作等を行ったことで、遊技者による示唆操作が行われたと判定すると（Ｓ４２：ＹＥＳ）、遊技機端末装置４から送信される信号に基づいて会員カード３５を識別し、その遊技機端末装置４に挿入されている会員カードに対して示唆実行済みフラグを設定しているか否かを判定する（Ｓ４３）。示唆実行済みフラグは、管理装置７が会員カード毎に設定可能なフラグである。
【００５６】
管理装置７は、示唆実行済みフラグを設定していないと判定すると（Ｓ４３：ＮＯ）、示唆用演出を実行した回数と、上記した実行可能回数設定処理にて設定した示唆用演出の実行可能回数とを比較し（Ｓ４４）、示唆用演出を実行可能であるか否かを判定する（Ｓ４５）。管理装置７は、示唆用演出を実行した回数が示唆用演出の実行可能回数以下であり、示唆用演出を実行可能であると判定すると（Ｓ４５：ＹＥＳ）、示唆用演出設定処理に移行する（Ｓ４６）。
【００５７】
管理装置７は、示唆用演出設定処理に移行すると、示唆実行済みフラグを格納し（Ｓ５１）、示唆用演出を実行した回数をインクリメント（「１」加算し）（Ｓ５２）、設定値の示唆に対応した回数目であるか否かを判定する（Ｓ５３）。設定値の示唆に対応した回数目も、上記した示唆用演出の実行可能回数と同様に、遊技場の管理者により設定される回数でも良いし、初期値として設定される回数でも良い。
【００５８】
ここで、管理装置７は、設定値の示唆に対応した回数目であると判定すると（Ｓ５３：ＹＥＳ）、不許可状態設定用アウトデータに例えば「３０００」を設定し（Ｓ５４）、示唆対象選択処理を行い（Ｓ５５）、示唆演出実行処理を行い（Ｓ５６）、示唆用演出設定処理を終了して示唆操作確認処理にリターンする。例えばアウト数が「１０００」までは１０回まで示唆用演出を行い、１０回目の示唆用演出にて設定値を具体的に示唆し、アウト数が「１００００」までは２０回まで示唆用演出を行い、２０回目の示唆用演出にて設定値を具体的に示唆し、アウト数が「５０００００」までは３０回まで示唆用演出を行い、３０回目の示唆用演出にて設定値を具体的に示唆し、アウト数が「１００００００」までは５０回まで示唆用演出を行い、４０回目及び５０回目の示唆用演出にて設定値を具体的に示唆し、以下、アウト数が「５０００００」増える毎に２０回の示唆用演出を実行可能とし、それら２０回の示唆用演出のうち１０回目及び２０回目の示唆用演出にて設定値を具体的に示唆する。示唆演出実行処理では、図１４（ａ）に示すように、示唆対象として選択したスロットマシン２に対応して設けられている中継装置５の液晶表示部４５に例えば「７７番台が高設定」というメッセージを表示する。即ち、示唆演出実行処理の実行に基づく設定値を具体的に示唆する処理が示唆演出に相当する。
【００５９】
又、管理装置７は、設定値の示唆に対応した回数目でないと判定すると（Ｓ５３：ＮＯ）、長期遊技不能状態の設定に対応した回数目であるか否かを判定し（Ｓ５７）、長期遊技不能状態の設定に対応した回数目でないと判定すると（Ｓ５７：ＮＯ）、不許可状態設定用アウトデータに例えば「３０００」を設定し（Ｓ５８）、示唆非対応演出実行処理を行い（Ｓ５９）、示唆用演出設定処理を終了して示唆操作確認処理にリターンする。示唆非対応演出実行処理では、図１４（ｂ）に示すように、示唆対象として選択したスロットマシン２に対応して設けられている中継装置５の液晶表示部４５に「残念！しばらくしたら挑戦してね。この台も高設定かもよ？」というメッセージを表示することで、今回の報知が具体的な設定値の示唆でないことと、しばらく設定値の示唆を行わないことを報知する。更には、示唆非対応演出実行処理を実行した場合、上記した示唆演出実行処理を実行した場合よりも、信頼度の低い設定値の示唆を行うことも可能である。
【００６０】
又、管理装置７は、長期遊技不能状態の設定に対応した回数目であると判定すると（Ｓ５７：ＹＥＳ）、不許可状態設定用アウトデータに例えば「６０００」を設定し（Ｓ６０）、長期不許可対応演出実行処理を行い（Ｓ６１）、示唆用演出設定処理を終了して示唆操作確認処理にリターンする。長期不許可対応演出実行処理では、図１４（ｃ）に示すように、示唆対象として選択したスロットマシン２に対応して設けられている中継装置５の液晶表示部４５に「大ハズレ！当分設定示唆はしないよ」というメッセージを表示し、しばらく示唆を行わない報知を行う。
【００６１】
管理装置７は、示唆用演出を実行した回数が示唆用演出の実行可能回数を超えており、示唆用演出を実行可能でないと判定すると（Ｓ４５：ＮＯ）、遊技促進演出実行処理を行う（Ｓ４７）。又、管理装置７は、示唆実行済みフラグを設定していると判定すると（Ｓ４３：ＹＥＳ）、不許可状態設定用アウトデータの値を把握し（Ｓ４８）、アウトデータの値に対応した演出実行処理を行う（Ｓ４９）。アウトデータの値に対応した演出実行処理では、図１４（ｄ）に示すように、示唆対象として選択したスロットマシン２に対応して設けられている中継装置５の液晶表示部４５に例えば「この会員カードでもっと遊んで」というメッセージを表示し、遊技者に対して遊技を促す報知を行う。即ち、示唆非対応演出実行処理に基づく演出、長期不許可対応演出実行処理に基づく演出が特別演出である。
【００６２】
１回示唆用演出を行った会員カードに対しては、示唆用演出を行った後に、アウトが「３０００」となるまで再び示唆用演出を行うことはない。示唆用演出を行うタイミングによっては、遊技者にペナルティを与え（９回目の示唆用演出）、示唆用演出を行ったタイミングが９回目、即ち、次の示唆用演出で具体的な示唆を行う回数目にて、示唆用演出を行った会員カードに対しては、示唆用演出を行った後に、アウトが「６０００」となるまで再び示唆用演出を行うことはない。
【００６３】
（４−３）不許可状態解除処理
管理装置７は、不許可状態解除処理を開始すると、スロットマシン２からアウト信号を受信したか否かを判定する（Ｓ７１）。管理装置７は、スロットマシン２からアウト信号を受信したと判定すると（Ｓ７１：ＹＥＳ）、不許可状態設定用アウトデータの値をデクリメント（「１」減算し）（Ｓ７２）、不許可状態設定用アウトデータの値が「０」であるか否かを判定する（Ｓ７３）。管理装置７は、不許可状態設定用アウトデータの値が「０」であると判定すると（Ｓ７３：ＹＥＳ）、示唆実行済フラグを消去する（Ｓ７４）。
【００６４】
示唆用演出について説明を補足する。示唆用演出に含まれる特別演出として示唆非対応演出実行処理に基づく演出と、長期不許可対応演出実行処理に基づく演出と、が設定されている。これらの演出を実行した場合には、しばらく示唆用演出の実行を禁止する不許可状態を設定する。これにより、一の遊技者によって過度に示唆用演出が実行されてしまうことを抑制することができる。長期不許可対応演出実行処理を実行する場合には、不許可状態設定アウトデータに「６０００」を設定する。即ち、長期不許可対応演出実行処理を実行する場合、示唆非対応演出実行処理を実行する場合よりも、不許可状態が設定されている期間が長くなる。不許可状態では示唆用演出が実行されないため、遊技者は、設定値を把握したいと考えつつも、長期不許可対応演出実行処理は実行されないことを期待して示唆用演出を実行させることとなる。
【００６５】
以上に説明したように本実施形態によれば、役の内部当選確率が異なる設定値が設定されているスロットマシン２を対象とし、設定値を示唆すべきスロットマシン２を遊技者による遊技の状況に応じて決定するので、遊技場全体でみて設定値を示唆すべきスロットマシン２を良好に決定することができ、設定値を示唆し過ぎたり示唆しなさ過ぎたりすることを抑制することができ、設定値の示唆回数と設定配分とのバランスをとることができる。
【００６６】
又、スロットマシン２の設定値を具体的に示唆しない演出を所定回数実行した後に、スロットマシン２の設定値を具体的に示唆する演出を実行するように構成したので、スロットマシン２の設定値を具体的に示唆しない演出が実行された回数に遊技者が注目するようになる。その結果、遊技者の遊技全体に対する注目度を高めることができる。即ち、設定値を示唆する効果を得ることができつつ、設定値の示唆が単調に行われるものよりも興趣を高めることができる。
【００６７】
本発明は、上記した実施形態にのみ限定されるものではなく、以下のように変形又は拡張することができる。
スロットマシンだけでなくパチンコに適用しても良い。又、大当たり確率を変更可能なパチンコに適用しても良い。遊技機自体に設定値を設定する機能がなくとも、管理装置で設定値を入力可能な構成において、その管理装置で入力した設定値を示唆しても良い。遊技場にて釘の調整等を行うことにより、遊技機の特典の獲得期待度を変更することが可能であれば、本発明を適用することができる。
【００６８】
設定値を示唆する演出を変更しても良い。高設定でないスロットマシンについて設定値の示唆を行うようにしても良い。高設定でないスロットマシンについても設定値の示唆が抽選で行われる場合、高設定であることの期待度を示す演出を行っても良い。又、低設定であることを示唆しても良い。但し、低設定であることを示唆する場合、遊技場全体でみて割数が低い、即ち、遊技者が過度に負けている場合に、低設定であることを示唆すると良い。
【００６９】
設定値を示唆する演出は、中継装置の液晶表示部にて実行する必要はなく、遊技場に設けられたモニタ（インフォメーションスクリーン）にて実行しても良い。モニタは、遊技場にいる不特定多数の遊技者が視認可能に遊技場内に設置されており、このように設定値を示唆する演出をモニタにて行うことで、遊技中の遊技者に対して設定値を示唆することに加え、これから遊技しようとする遊技者や休憩中の遊技者に対しても設定値を示唆することができる。又、設定値を示唆する演出は表示される必要はなく、例えば場内アナウンスが実行されたり、スロットマシンから設定値を示唆する音声が出力されたりするようにしても良い。更に、設定値を示唆する場合、スロットマシンに設定されている設定値そのものを遊技者に教示するようにしても良いし、設定値に対応した演出を実行するようにしても良い。例えば液晶表示部の背景の色が変化することで、その色に対応した設定値であることを遊技者に報知するようにしても良い。
【００７０】
稼動率をアウトから求める必要はなく、実際に遊技者が遊技を行っている時間を計測して稼動率を求めても良い。又、所定時刻となった場合においてそのタイミングにおける遊技場の稼動率から、設定値を示唆するスロットマシンの数を決定するようにしても良い。
【００７１】
スロットマシンから出力されるＢＢ信号やＲＢ信号を判定することで、発生したボーナス回数を判定し、ボーナス回数が所定数に到達している場合に設定値を示唆しても良い。このような構成によれば、ボーナス回数の頻度と設定値との対応を遊技者に対して報知することができ、例えばボーナス回数が多ければ、高設定の遊技機で遊技しているが故にボーナス回数が多いことを遊技者に認識させることができる。
【００７２】
記憶媒体は会員カードに限定されることはなく、コインやスティックでも良い。即ち、遊技者のＩＤ、遊技者の氏名、遊技者が獲得したメダル等の遊技履歴のうち何れか一の情報を記憶可能であれば、記憶媒体に相当する。
【００７３】
不許可状態を解除する条件を変更しても良く、例えば所定の遊技回数（パチンコであればスタート）を消化したことを条件として解除しても良い。又、遊技を行っているか否かに関わらず、所定時間が経過したことを条件として解除しても良い。
【００７４】
稼動率に基づいて設定値を示唆する処理において、稼動中のスロットマシン又は非稼動中のスロットマシンの何れに対して設定値を示唆するかを変更しても良い。即ち、稼動率に関わらず非稼動中のスロットマシンに対して設定値を示唆したり、稼動率が所定値未満の場合に稼動中のスロットマシンに対して設定値を示唆したり、稼動率が所定値以上の場合に非稼動中のスロットマシンに対して設定値を示唆したりする等しても良い。
【００７５】
会員カードが挿入されていることを条件として設定値を示唆する処理において、示唆用演出のうち、１〜９回目のものでも具体的に台番を指定して設定値を示唆しても良い。但し、１０回目のものよりも信頼度が低いものとするのが望ましい。
【００７６】
稼動率に基づいて設定値を示唆する処理において、稼動率や出玉率の上位何番までについて設定値を示唆しても良い。
設定値を示唆するタイミングを任意に変更しても良いことは当然のことながら、例えば示唆演出を５回実行する毎に設定値を示唆するようにしても良い。又、アウト数に応じて示唆用演出を実行可能とする回数を決定するものとしたが、示唆用演出を実行可能とする回数を決定する方法を変更しても良く、スロットマシンの稼動率や、遊技場の営業が始まってからの時刻等に応じて示唆用演出を実行可能とする回数を決定しても良い。更に、示唆用演出を実行可能とする回数が特に定められておらず、遊技者が望むタイミングにて示唆用演出を実行することが可能としても良い。本構成においても示唆用演出を実行すれば、その会見カードに対して不許可状態が設定されることで、過度に設定値の示唆が行われることを抑制することができる。
【００７７】
各処理において説明した数値等は全て例示であり、どのような数値を採用しても良い。
管理装置が行う処理の一部を中継装置等にて行う構成としても良い。即ち、設定値を示唆する演出の実行に係る制御を中継装置が行うようにしても良い。
【符号の説明】
【００７８】
図面中、１は遊技場管理システム、２はスロットマシン（遊技機）、５は中継装置（示唆手段）、７は管理装置（設定特定手段、示唆制御手段）である。
【図１】
0005567426.tif 000002
【図２】
0005567426.tif 000003
【図３】
0005567426.tif 000004
【図４】
0005567426.tif 000005
【図５】
0005567426.tif 000006
【図６】
0005567426.tif 000007
【図７】
0005567426.tif 000008
【図８】
0005567426.tif 000009
【図９】
0005567426.tif 000010
【図１０】
0005567426.tif 000011
【図１１】
0005567426.tif 000012
【図１２】
0005567426.tif 000013
【図１３】
0005567426.tif 000014
【図１４】
0005567426.tif 000015